(57)【要約】【課題】少量の懸濁液を良好に採取できるホモジナイズ袋及びホモジナイズ袋用スタンドを提供する。【解決手段】袋本体１１の内部に、大空間部１３と小空間部１４とに区画するフィルタ部材１２を設け、小空間部１４を水平方向に切断する切込部１５，１５を形成する。ホモジナイズ袋用スタンド２０は、小空間部１４を前面に向けた状態でホモジナイズ袋１０が収容され、前面パネル２３を、ホモジナイズ袋１０のスタンド収容時に、切込部１５の位置よりも低くなる高さ寸法に、背面パネル２４を、ホモジナイズ袋１０のスタンド収容時に、ホモジナイズ袋１０の高さよりも僅かに低い高さ寸法に形成する。側面パネル２２と仕切りパネル２５とを、背面パネル２４と前面パネル２３とを繋ぐ略Ｌ字状に形成し、前部２２ａ，２５ａの奥行き寸法を、ホモジナイズ袋１０のスタンド収用時に、フィルタ部材１２が配置される位置と略等しい寸法に形成する。【選択図】図３
0003160058.tif 000002
【実用新案登録請求の範囲】
【請求項１】
上部に開口部を備えた袋本体の内部に、前記開口部から底部に亘る袋本体上下方向に配置され、前記袋本体内部を大空間部と小空間部とに区画するフィルタ部材を設けたホモジナイズ袋において、前記小空間部側の側縁部に前記小空間部を水平方向に切断するための複数の切込部を形成したことを特徴とするホモジナイズ袋。
【請求項２】
底面パネルと、該底面パネルの両側に直角に立設された一対の側面パネルと、前記底面パネルの前後に直角に立設された前面パネルと背面パネルと、前記側面パネルと平行に立設される複数の仕切りパネルとを備え、該仕切りパネルにて仕切られた収容空間部に、前記請求項１に記載されたホモジナイズ袋を前記小空間部を前面に向けて収容するホモジナイズ袋用スタンドであって、前記前面パネルは、前記ホモジナイズ袋を前記収容空間部に収容した際に、前記切込部が配置される位置よりも低くなる高さ寸法に形成され、前記背面パネルは、前記ホモジナイズ袋を前記収容空間部に収容した際に、前記ホモジナイズ袋の高さよりも僅かに低い高さ寸法に形成され、前記側面パネルと前記仕切りパネルとは、前記背面パネルと前記前面パネルとを繋ぐ略Ｌ字状に形成されると共に、前記前面パネルに接続される前部の奥行き寸法が、前記ホモジナイズ袋を前記収容空間部に収容した際に、前記フィルタ部材が配置される位置と略等しい寸法に形成されることを特徴とするホモジナイズ袋用スタンド。
【考案の詳細な説明】
【技術分野】
【０００１】
本考案は、ホモジナイズ袋及びホモジナイズ袋用スタンドに係り、詳しくは、試料を希釈液と共に収容した後、ホモジナイザに掛けてホモジナイズ処理するホモジナイズ袋と、ホモジナイズ袋を保持するホモジナイズ袋用スタンドに関する。
【背景技術】
【０００２】
従来、試料と希釈液とを共にホモジナイズ袋に収容してホモジナイザに掛け、組織を均一になるまで破砕し、微生物検査や理化学検査を行うことがあった。このホモジナイズ袋としては、強化ポリエチレン等の材質で形成された袋本体内を、不織布等で形成されたフィルタ部材を介して大空間部と小空間部とに２分割し、大空間部に試料と希釈液とを収容してホモジナイザに掛け、小空間部に懸濁液を抽出し、大空間部に残渣を残すようにしたものがあった（例えば、特許文献１参照。）。
【先行技術文献】
【特許文献】
【０００３】
【特許文献１】実用新案登録第３０７４５７２号公報
【考案の概要】
【考案が解決しようとする課題】
【０００４】
しかし、上述のホモジナイズ袋では、懸濁液が少量の場合、小空間部の開口部からピペットによって懸濁液を採取しにくいことがあった。
【０００５】
そこで本考案は、懸濁液が少量であってもピペットによって懸濁液を良好に採取することができるホモジナイズ袋及びホモジナイズ袋用スタンドを提供することを目的としている。
【課題を解決するための手段】
【０００６】
上記の目的を達成するため本考案のホモジナイズ袋は、上部に開口部を備えた袋本体の内部に、前記開口部から底部に亘る袋本体上下方向に配置され、前記袋本体内部を大空間部と小空間部とに区画するフィルタ部材を設けたホモジナイズ袋において、前記小空間部側の側縁部に前記小空間部を水平方向に切断するための複数の切込部を形成したことを特徴としている。
【０００７】
また、本考案のホモジナイズ袋用スタンドは、底面パネルと、該底面パネルの両側に直角に立設された一対の側面パネルと、前記底面パネルの前後に直角に立設された前面パネルと背面パネルと、前記側面パネルと平行に立設される複数の仕切りパネルとを備え、該仕切りパネルにて仕切られた収容空間部に、前記ホモジナイズ袋を前記小空間部を前面に向けて収容するホモジナイズ袋用スタンドであって、前記前面パネルは、前記ホモジナイズ袋を前記収容空間部に収容した際に、前記切込部が配置される位置よりも低くなる高さ寸法に形成され、前記背面パネルは、前記ホモジナイズ袋を前記収容空間部に収容した際に、前記ホモジナイズ袋の高さよりも僅かに低い高さ寸法に形成され、前記側面パネルと前記仕切りパネルとは、前記背面パネルと前記前面パネルとを繋ぐ略Ｌ字状に形成されると共に、前記前面パネルに接続される前部の奥行き寸法が、前記ホモジナイズ袋を前記収容空間部に収容した際に、前記フィルタ部材が配置される位置と略等しい寸法に形成されることを特徴としている。
【考案の効果】
【０００８】
本考案のホモジナイズ袋は、上述のように形成されることにより、小空間部に溜まった懸濁液の容量に応じて、最適な切込部を選択し、該切込部から小空間部を水平方向に切断し、切断部より上方の小空間部をフィルタ部材側に折り曲げたり押し込んだりすることにより、切断部で小空間部を開口させることができ、この切断開口部にピペットを挿入して懸濁液を良好に採取することができる。
【０００９】
さらに、本考案のホモジナイズ袋用スタンドは、上述のように形成されることにより、ホモジナイズ袋をホモジナイズ袋用スタンドの収容空間部に立てた時に、前記切込部よりも上方の前記小空間部がホモジナイズ袋用スタンドから外部に露出することから、安定した状態で切断部から小空間部を切断して開口させることができると共に、懸濁液を良好に採取することができ、作業効率の向上を図ることができる。
【図面の簡単な説明】
【００１０】
【図１】本考案の一形態例を示すホモジナイズ袋の正面図である。
【図２】同じくホモジナイズ袋用スタンドの斜視図である。
【図３】同じくホモジナイズ袋をホモジナイズ袋用スタンドに収容した状態を示す斜視図である。
【図４】同じくホモジナイズ袋用スタンドに収容したホモジナイズ袋からピペットで懸濁液を採取する説明図である。
【考案を実施するための形態】
【００１１】
以下、本考案の一形態例を図面に基づいて詳しく説明する。図１に示すホモジナイズ袋１０は、上部に開口部１１ａを備えた袋本体１１の内部に、前記開口部１１ａから底部に亘る袋本体上下方向に配置されるフィルタ部材１２を設け、該フィルタ部材１２によって前記袋本体内部を大空間部１３と小空間部１４とに区画している。
【００１２】
袋本体１１は、ポリエチレン等の樹脂材をラミネート加工した一対の強化フィルムの両側縁部１１ｂ，１１ｂと底縁部１１ｃとをヒートシールして形成されている。フィルタ部材１２は、不織布シートで形成され、二つ折りにして、山折り部１２ａを大空間部１３側に向けて配置し、底部を前記袋本体１１の底縁部１１ｃと共にヒートシールし、両側端部を袋本体１１の表面側シートと裏面側シートとにそれぞれヒートシールすることにより、袋本体１１に一体に取り付けられる。
【００１３】
袋本体１１は、内部に収容される懸濁液の容量が１００ｍｌと２５０ｍｌとなる高さ位置に対応して、小空間部１４側の側縁部１１ｂに切込部１５，１５が形成され、正面側シートには、前記切込部１５，１５を通る水平方向の目盛り線と容量とを表示した表示部１６，１６が設けられている。さらに、大空間部１３の正面側シート上方には、鉛筆やフェルトペン等で書き込み可能な書込み部１７が設けられている。
【００１４】
図２に示すホモジナイズ袋用スタンド２０は、底面パネル２１と、該底面パネル２１の両側に直角に立設された一対の側面パネル２２，２２と、底面パネル２１の前後に直角に立設された前面パネル２３と背面パネル２４と、側面パネル２２，２２間に、側面パネル２２に平行で、且つ、等間隔に立設される４枚の仕切りパネル２５とを備え、該仕切りパネル２５にて仕切られた収容空間部に、前記ホモジナイズ袋１０が小空間部１４を前面に向けて収容される。
【００１５】
前面パネル２３は、ホモジナイズ袋１０を収容空間部に収容した際に、下方に設けられた切込部１５が配置される位置よりも低くなる高さ寸法に形成され、背面パネル２４は、ホモジナイズ袋１０を収容空間部に収容した際に、ホモジナイズ袋１０の高さよりも僅かに低い高さ寸法にそれぞれ形成される。側面パネル２２と仕切りパネル２５とは、背面パネル２４と前面パネル２３とを繋ぐ略Ｌ字状に形成されると共に、前面パネル２３に接続される前部２２ａ，２５ａの奥行き寸法が、ホモジナイズ袋１０を収容空間部に収容した際に、フィルタ部材１２が配置される位置と略等しい寸法に形成されている。
【００１６】
例えば、ホモジナイズ袋１０は、袋本体１１を、幅寸法１９０ｍｍ、高さ寸法２８０ｍｍの大きさに形成し、フィルタ部材１２を、幅寸法８５ｍｍ、高さ寸法２８０ｍｍの不織布シートを二つ折りにして形成し、両側端部を、袋本体１１の表面側シートと裏面側シートの側縁部から幅方向３５ｍｍの位置にそれぞれヒートシールし、大空間部１３と小空間部１４とを形成する。さらに、袋本体１１の底縁部１１ｃから８５ｍｍと１１０ｍｍの高さ位置に、前記切込部１５，１５を形成する。
【００１７】
また、ホモジナイズ袋用スタンド２０は、全体のサイズを幅寸法１７０ｍｍ、高さ寸法２５０ｍｍ、奥行寸法２１０ｍｍに形成し、前面パネル２３を、幅寸法１７０ｍｍ、高さ寸法７０ｍｍに形成し、側面パネル２２と各仕切りパネル２５の前部２２ａ，２５ａを、高さ寸法７０ｍｍ、奥行寸法４５ｍｍにそれぞれ形成する。
【００１８】
これにより、ホモジナイズ袋用スタンド２０の収容空間部に、前記ホモジナイズ袋１０の小空間部１４を前面に向けて収容すると、下方に設けられた切込部１５よりも上方の小空間部１４が、前面パネル２３と側面パネル２２及び仕切りパネル２５から外部に露出した状態となる。
【００１９】
上述のように形成されたホモジナイズ袋１０及びホモジナイズ袋用スタンド２０を用いて例えば、食品微生物検査を行う際には、まず、ホモジナイズ袋１０の大空間部１３に希釈液と共に食品試料を投入した後、ホモジナイザのクランプ機構に、開口部１１ａを液密に封止させて前記ホモジナイザにセットする。この状態でホモジナイザを作動し、内蔵のローラやペダルが往復動することによりホモジナイズ袋１０の外部から食品試料を押し潰したり、手揉みによってホモジナイズ処理を行う。ホモジナイズ処理の間、食品試料は、ペダルやローラの往復動あるいは手揉みによってホモジナイズ袋１０内をランダムに移動しながら懸濁化され、フィルタ部材１２を通過可能な程度まで懸濁化されると、懸濁液がフィルタ部材１２を通過して小空間部１４内に導入される。一方、所定時間のホモジナイズ処理によっても懸濁化されなかった食品残渣は大空間部１３に残留する。
【００２０】
ホモジナイズ処理が終了した後、ホモジナイズ袋１０は図３に示されるようにホモジナイズ袋用スタンド２０に、小空間部１４を前面に向けて収容される。懸濁液の容量が２５０ｍｌを越えている際には、小空間部１４の開口部１１ａからピペット２６を差し込んで懸濁液を採取する。また、例えば、懸濁液の容量が１００ｍｌ以下の少量である際には、下方の切込部１５から、表示部１６の目盛り線に沿って、小空間部１４の正面側シートと背面側シートを水平方向に切断し、切断部より上方の小空間部１４をフィルタ部材１２側へ折り曲げるか、フィルタ部材１２側に押し込む。これにより、切断部から小空間部１４を開口させ、この切断開口部１４ａにピペット２６を差し込んで懸濁液を採取する。さらに、懸濁液の容量が１００ｍｌ以上、２５０ｍｌ以下の場合では、上方の切込部１５から表示部１６の目盛り線に沿って小空間部１４の正面側シートと背面側シートとを水平方向に切断し、切断開口部にピペット２６を差し込んで懸濁液を採取する。
【００２１】
このように、上述のホモジナイズ袋１０では、小空間部１４に溜まった懸濁液が少量の場合でも、該懸濁液の容量に応じて、切込部１５から小空間部１４を水平方向に切断することにより、ホモジナイズ袋１０を傾けたり長尺のピペットを用いたりすることなく、通常のピペット２６で懸濁液を良好に採取することができる。また、ホモジナイズ袋用スタンド２０にホモジナイズ袋１０を立てた状態で固定することができることから、安定した状態で切込部１５からの切断作用や、懸濁液の採取作業を行うことができ、作業性の向上を図ることができる。さらに、正面側シートには容量の表示部１６，１６が設けられていることから、希釈液及び食品試料の容量を把握しやすく、また、正面側シート上方には、鉛筆やフェルトペン等で書き込み可能な書込み部１７が設けられていることから、条件の異なる検査を同時に行うことがあっても誤認する虞がない。
【００２２】
尚、本考案は上述の形態例に限るものではなく、ホモジナイズ袋やホモジナイズ袋用スタンドのサイズは任意であり、ホモジナイズ袋用スタンドの仕切りパネルの枚数も任意である。また、切込部は、ホモジナイズ袋のサイズに応じて３箇所以上設けても良く、１箇所のみでも差し支えない。さらに、ホモジナイズ袋は、食品微生物検査に用いられるものに限らず、ホモジナイズ処理を要する理化学検査や分析等に広く用いることができる。
【符号の説明】
【００２３】
１０…ホモジナイズ袋、１１…袋本体、１１ａ…開口部、１１ｂ…側縁部、１１ｃ…底縁部、１２…フィルタ部材、１２ａ…山折り部、１３…大空間部、１４…小空間部、１４ａ…切断開口部、１５…切込部、１６…表示部、１７…書込み部、２０…ホモジナイズ袋用スタンド、２１…底面パネル、２２…側面パネル、２２ａ…前部、２３…前面パネル、２４…背面パネル、２５…仕切りパネル、２５ａ…前部、２６…ピペット
【図１】
0003160058.tif 000003
【図２】
0003160058.tif 000004
【図３】
0003160058.tif 000005
【図４】
0003160058.tif 000006